【手続補正書】
【提出日】平成19年8月17日(2007.8.17)
【手続補正１】
【補正対象書類名】明細書
【補正対象項目名】特許請求の範囲
【補正方法】変更
【補正の内容】
【特許請求の範囲】
【請求項１】 位相ロック・ループ回路であって、
電圧制御入力に応答して発振出力信号を発生する電圧制御発振器と、 基準周波数信号を供給する基準源と、
前記電圧制御発振器と前記基準源とに動作的に接続され、かつ、前記発振出力信号と前記基準周波数信号との間の位相差に比例する出力を発生する位相検出器と、
前記位相検出器出力を前記電圧制御入力に接続するループ・フィルタであって、 前記位相検出器の出力に接続された第１の分路コンデンサと、
スイッチトキャパシタと、 前記スイッチトキャパシタが前記ループ・フィルタで抵抗素子として機能するように前記スイッチトキャパシタを前記第１の分路コンデンサと大地とに交互に直列に接続するスイッチング回路とを有する、
ループ・フィルタと、 を含む、位相ロック・ループ回路。 
【請求項２】 請求項１記載の位相ロック・ループ回路であって、前記ループ・フィルタが、前記スイッチング回路と前記位相検出器出力との間に接続された第２のコンデンサを更に含む、位相ロック・ループ回路。
【請求項３】 請求項１記載の位相ロック・ループ回路であって、前記ループ・フィルタが、前記位相検出器出力と大地との間に接続された第２の分路コンデンサを更に含む、位相ロック・ループ回路。
【請求項４】 請求項１記載の位相ロック・ループ回路であって、前記スイッチング回路が、前記キャパシタを前記第１の分路コンデンサに接続する第１のトランジスタと、前記キャパシタを大地に接続する第２のトランジスタとを含む、位相ロック・ループ回路。
【請求項５】 請求項４記載の位相ロック・ループ回路であって、前記スイッチング回路が、前記第１のトランジスタ及び前記第２のトランジスタを制御するノン・オーバラッピング・クロック発生回路を更に含む、位相ロック・ループ回路。
【請求項６】 請求項５記載の位相ロック・ループ回路であって、前記クロック発生回路が、前記位相ロック・ループ回路のループ帯域幅よりも上の周波数で動作する、位相ロック・ループ回路。
【請求項７】 請求項１記載の位相ロック・ループ回路であって、前記位相検出器が位相周波数検出器を含む、位相ロック・ループ回路。
【請求項８】 請求項１記載の位相ロック・ループ回路であって、前記位相検出器がチャージ・ポンプ回路を含み、前記ループ・フィルタが前記チャージ・ポンプ回路からの電流パルスを前記電圧制御入力での電圧に変換する、位相ロック・ループ回路。
【請求項９】 請求項８記載の位相ロック・ループ回路であって、前記位相検出器が一対のエッジトリガ形リセット付きフリップフロップを含み、前記発振出力信号と前記基準周波数信号とが前記フリップフロップ用のクロック信号であり、前記フリップフロップが前記チャージ・ポンプ回路を駆動する、位相ロック・ループ回路。
【請求項１０】 請求項１記載の位相ロック・ループ回路であって、前記発振出力信号と前記基準周波数信号とを前記位相検出器に接続する分周器を更に含む、位相ロック・ループ回路。
【請求項１１】 改善された位相雑音特性を有する位相ロック・ループ回路であって、
電圧制御入力に応答して発振出力信号を発生する電圧制御発振器と、 基準周波数信号を供給する基準源と、
前記電圧制御発振器と前記基準源とに動作的に接続され、かつ、前記発振出力信号と前記基準周波数信号との間の位相差に比例するパルス幅を有する正電流パルス又は負電流パルスを有する出力を発生する位相周波数検出器と、
前記位相検出器出力を前記電圧制御入力に接続するループ・フィルタであって、該ループ・フィルタが、電流パルスを前記電圧制御入力での電圧に変換し、かつ、コンデンサとスイッチング回路とを有する積分器を含み、前記スイッチング回路が前記コンデンサを前記位相検出器出力と大地とに交互に接続する、ループ・フィルタと、
を含む、位相ロック・ループ回路。 
【請求項１２】 請求項１１記載の位相ロック・フィルタであって、前記積分器が、前記スイッチング回路と前記位相検出器出力との間に接続された第２のコンデンサを更に含む、位相ロック・ループ。
【請求項１３】 請求項１１記載の位相ロック・フィルタであって、前記積分器が、前記位相検出器出力と大地との間に接続された追加コンデンサを更に含む、位相ロック・ループ。
【請求項１４】 請求項１１記載の位相ロック・ループ回路であって、前記スイッチング回路が、前記コンデンサを前記検出器出力に接続する第１のトランジスタと、前記コンデンサを大地に接続する第２のトランジスタとを含む、位相ロック・ループ回路。
【請求項１５】 請求項１４記載の位相ロック・ループ回路であって、前記スイッチング回路が、前記第１のトランジスタ及び前記第２のトランジスタを制御するノン・オーバラッピング・クロック発生回路を更に含む、位相ロック・ループ回路。
【請求項１６】 請求項１５記載の位相ロック・ループ回路であって、前記クロック発生回路が、前記位相ロック・ループ回路のループ帯域幅よりも上の周波数で動作する、位相ロック・ループ回路。
【請求項１７】 請求項１１記載の位相ロック・ループ回路であって、前記位相周波数検出器がチャージ・ポンプ回路を含む、位相ロック・ループ回路。
【請求項１８】 請求項１７記載の位相ロック・ループ回路であって、前記位相周波数検出器が一対のエッジトリガ形リセット付きフリップフロップを含み、前記発振出力信号と前記基準周波数信号とが前記フリップフロップ用のクロック信号であり、前記フリップフロップが前記チャージ・ポンプ回路を駆動する、位相ロック・ループ回路。
【請求項１９】 請求項１１記載の位相ロック・ループ回路であって、前記発振出力信号と前記基準周波数信号とを前記位相周波数検出器に接続する分周器を更に含む、位相ロック・ループ回路。
【請求項２０】 請求項１記載の位相ロック・ループであって、前記位相検出器の出力が一連のパルスを含み、前記ループ・フィルタが前記検出器によって出力された前記パルスを電圧制御入力に変換する積分器として機能する、位相ロック・ループ。
【請求項２１】 出力信号を発生する電圧制御発振器と該電圧制御発振器用の電圧制御入力を発生する位相検出器とを含む位相ロック・ループにおける熱雑音を減少させる方法であって、
前記位相検出器の出力と前記電圧制御発振器との間に第１の分路コンデンサを接続するステップと、 スイッチトキャパシタが抵抗素子として機能するように該スイッチトキャパシタを前記第１の分路コンデンサと大地とに交互に直列に接続するステップと、
を含む、方法。 
【請求項２２】 請求項２１記載の方法であって、
前記スイッチトキャパシタを前記第１の分路コンデンサと大地とに交互に直列に接続するステップが、 前記スイッチトキャパシタを前記分路コンデンサに直列に接続するために第１のスイッチング位相の間に第１のスイッチを閉じるステップと、
前記スイッチトキャパシタを大地に接続するために第２のスイッチング位相の間に第２のスイッチを閉じるステップとを含む、 方法。 
【請求項２３】 請求項２２記載の方法であって、前記第１のスイッチング位相と前記第２のスイッチング位相とがノン・オーバラッピングである、方法。
【請求項２４】 請求項２３記載の方法であって、前記第１のスイッチと前記第２のスイッチとのスイッチング周波数が前記位相ロック・ループのループ帯域幅よりも高い、方法。
【請求項２５】 請求項２１記載の方法であって、前記位相検出器の出力を積分するステップを更に含み、前記位相検出器の出力が一連のパルスを含む、方法。